(57)【要約】【課題】給湯器の前面パネル１２の背面に、操作ボックス用のブラケット１７を取付け、前面パネルに開設した略方形の窓穴１３に前面側の部分が嵌合するように配置する操作ボックス１４をブラケットを利用して前面パネルに取付けるものにおいて、ブラケットの取付け痕(溶接痕等)が前面パネルの前面に現われないようにし、取付け痕を隠す後処理を不要にする。【解決手段】前面パネル１２に、窓穴１３の周縁の１組の対辺に位置させて、背面側に折り返された一対の耳片１５を形成する。また、ブラケット１７を、前記１組の対辺に沿う一対の側枠部１７ａと、両側枠部１７ａの一端間の端枠部１７ｂとを有する略Ｕ字状に形成し、各側枠部１７ａを、各耳片１５と前面パネル１２の背面との間に形成される隙間に、各側枠部１７ａの他端側から押し込むことにより、ブラケット１７を前面パネル１２に取付ける。【選択図】図３
2005172345.tif 000002
【特許請求の範囲】
【請求項１】
給湯器の前面パネルの背面に、前面パネルに開設した略方形の窓穴に前面側の部分が嵌合するように配置する操作ボックスの取付け構造であって、前面パネルの背面に、操作ボックス用のブラケットを取付け、このブラケットを利用して操作ボックスを前面パネルに取付けるものにおいて、
前面パネルに、窓穴の周縁の１組の対辺に位置させて、背面側に折り返された一対の耳片を形成すると共に、
ブラケットを、窓穴の周縁の前記１組の対辺に沿う一対の側枠部と、両側枠部の一端間の端枠部とを有する略Ｕ字状に形成し、
ブラケットの各側枠部を、各耳片と前面パネルの背面との間に形成される隙間に、各側枠部の他端側から押し込むことにより、ブラケットを前面パネルに取付けることを特徴とする給湯器における操作ボックスの取付け構造。
【請求項２】
ブラケットの各側枠部に、背面側に突出する突起を複数形成し、各側枠部がこれら突起において各耳片に点接触されるようにしたことを特徴とする請求項１記載の給湯器における操作ボックスの取付け構造。
【請求項３】
請求項１または２記載の給湯器における操作ボックスの取付け構造であって、操作ボックスの周壁部に、前面側の部分に比し外側に広がる段差部が形成され、前面パネルの背面に窓穴を囲うようにして装着するパッキンに段差部が当接するように操作ボックスを取付けるものにおいて、
ブラケットの両側枠部の外側縁に、背面側に起立する起立片と、起立片の後縁の外曲げフランジとを形成して、両側枠部の起立片間に操作ボックスを挿入自在とすると共に、操作ボックスの背面に当接する押え板を設けて、外曲げフランジに押え板を後方から締結することにより、操作ボックスの段差部をパッキンに押し付けることを特徴とする給湯器におけるパッキンの取付け構造。
【請求項４】
前面パネルに、窓穴の周縁の前記１組の対辺とは異なる１組の対辺に位置させて、背面側に起立するように屈曲された曲げ縁を形成し、この曲げ縁を操作ボックスの段差部に当接させて、操作ボックスを前後方向に位置決めすることを特徴とする請求項３記載の給湯器における操作ボックスの取付け構造。
【発明の詳細な説明】
【技術分野】
【０００１】
本発明は、給湯器の前面パネルに組み付ける操作ボックスの取付け構造に関する。
【背景技術】
【０００２】
従来、給湯器の前面パネルの背面に、給湯器用のリモコンと同一の操作ボックスを、前面パネルに開設した略方形の窓穴に操作ボックスの前面側の部分が嵌合するように配置したものが知られている。そして、このものでは、前面パネルの背面に、操作ボックス用のブラケットをスポット溶接し、このブラケットを利用して操作ボックスを前面パネルに固定している(例えば、特許文献１参照)。
【特許文献１】実公平４−２４３５６号公報
【発明の開示】
【発明が解決しようとする課題】
【０００３】
上記従来例のようにブラケットを前面パネルにスポット溶接すると、スポット溶接による打痕が前面パネルの前面に現われ、体裁を損なう。この場合、前面パネルの前面に化粧フィルムを貼着して打痕を隠すことも考えられるが、これでは手間がかかりコスト高になる。
【０００４】
本発明は、以上の点に鑑み、操作ボックス用のブラケットを前面パネルにその体裁を損なうことなく取り付けられるようにして、体裁を繕うための後処理を不要とした給湯器における操作ボックスの取付け構造を提供することをその課題としている。
【課題を解決するための手段】
【０００５】
上記課題を解決するために、本発明では、給湯器の前面パネルの背面に、前面パネルに開設した略方形の窓穴に前面側の部分が嵌合するように配置する操作ボックスの取付け構造であって、前面パネルの背面に、操作ボックス用のブラケットを設け、このブラケットを利用して操作ボックスを前面パネルに取付けるものにおいて、前面パネルに、窓穴の周縁の１組の対辺に位置させて、背面側に折り返された一対の耳片を形成すると共に、ブラケットを、窓穴の周縁の前記１組の対辺に沿う一対の側枠部と、両側枠部の一端間の端枠部とを有する略Ｕ字状に形成し、ブラケットの各側枠部を、各耳片と前面パネルの背面との間に形成される隙間に、各側枠部の他端側から押し込むことにより、ブラケットを前面パネルに取付けている。
【０００６】
本発明によれば、前面パネルの背面側に折り返された耳片により、ブラケットが前面パネルの背面に係止されることになる。そのため、前面パネルの前面には、打痕といったブラケットの取付け痕が全く現われず、体裁が良好に保たれる。従って、化粧フィルムの貼着といった体裁を繕うための後処理が不要になり、コストダウンを図れる。
【０００７】
尚、ブラケットを前面パネルの背面にセットした状態で窓穴の周縁部をヘミング加工することによりブラケットを前面パネルに固定することも考えられる。然し、この場合には、ヘミング加工に際してのブラケットの位置ずれを防止するため、前面パネルの背面にブラケットを予め接着等で仮付けしておくことが必要になる。一方、本発明では、ブラケットの仮付けが不要であり、工数を削減できて、コストダウンを図る上で有利である。
【０００８】
ところで、ブラケットのガタツキを防止するには、耳片と前面パネルの背面との間の自由状態での隙間量を狭くし、側枠部を耳片と前面パネルの背面との間の隙間に押し込む際に耳片が撓み、耳片の弾性復元力で前面パネルの背面との間に側枠部が挟圧されるようにすることが望まれる。この場合、側枠部が耳片に面接触すると、摩擦抵抗が大きくなって、側枠部の押し込み作業に強い力を必要とし、作業者に負担がかかる。これに対し、ブラケットの各側枠部に、背面側に突出する突起を複数形成し、各側枠部がこれら突起において各耳片に点接触されるようにすれば、摩擦抵抗が小さくなって、側枠部を軽い力で耳片と前面パネルの背面との間の隙間に押し込むことができ、作業性が向上する。
【０００９】
また、操作ボックスの周壁部に、前面側の部分に比し外側に広がる段差部が形成されている場合、前面パネルの背面に窓穴を囲うようにしてパッキンを装着し、このパッキンに段差部が当接するように操作ボックスを取付けて、窓穴のシール性を確保することが望ましい。この場合、ブラケットの両側枠部の外側縁に、背面側に起立する起立片と、起立片の後縁の外曲げフランジとを形成して、両側枠部の起立片間に操作ボックスを挿入自在とすると共に、操作ボックスの背面に当接する押え板を設けて、外曲げフランジに押え板を後方から締結することにより、操作ボックスの段差部をパッキンに押し付けるように構成すれば、段差部がパッキンに確実に密着してシール性が良好になり、更には、操作ボックスのガタツキも防止できる。
【００１０】
尚、段差部をパッキンに当接させる場合、パッキンの圧縮により操作ボックスの前後方向の位置が一義的に決まらなくなる。そのため、操作ボックスの前面と前面パネルの前面との位置関係を一定に管理することが困難になる。この場合、前面パネルに、窓穴の周縁の前記１組の対辺とは異なる１組の対辺に位置させて、背面側に起立するように屈曲された曲げ縁を形成し、この曲げ縁を操作ボックスの段差部に当接させるようにすれば、操作ボックスを曲げ縁を基準にして前後方向に位置決めでき、操作ボックスの前面と前面パネルの前面との位置関係がばらついて体裁を損なうことを防止できる。
【発明を実施するための最良の形態】
【００１１】
以下、本発明の実施形態を図面を参照して説明する。図１は本発明の取付け構造で取付けられた操作ボックスを具備する給湯器を模式的に示した図、図２は操作ボックスの斜視図、図３は操作ボックスの取付け部分の背面側から見た分解状態の斜視図、図４は図３のＩＶ−ＩＶ線で切断した組立て状態の切断面図、図５は図３のＶ−Ｖ線で切断した組立て状態の切断面図である。
【００１２】
図１に示されているように、実施形態の給湯器は、ハウジング１内に配置した略密閉構造の燃焼室２を備え、燃焼室２内にバーナ３とバーナ３で加熱される給湯用熱交換器４とを収納している。また、ハウジング１内の上部に給気室５が配置されている。そして、給気室５に連なる外管６ａと燃焼室２に連なる内管６ｂとの２重管構造の給排気管６を設け、燃焼室２の下部に連通する燃焼ファン７により、外気を外管６ａと給気室５とハウジング１の内部空間とを介して燃焼室２に燃焼用空気として供給すると共に、バーナ３の燃焼排気を燃焼室２から内管６ｂを介して外部に排出するようにしている。また、給気室５には、給湯用熱交換器４の上流側の給水路８と下流側の出湯路９とを結ぶバイパス通路１０に介設した冷却用熱交換器１１が配置されており、給排気管６内での燃焼排気との熱交換で加熱された外気を冷却用熱交換器４により冷却できるようにしている。
【００１３】
ハウジング１の前面は前面パネル１２で覆われている。前面パネル１２には窓穴１３が開設されており、前面パネル１２の背面に、操作ボックス１４がその前面側の部分を窓穴１３に嵌合させた状態で取り付けられている。操作ボックス１４は、給湯器用のリモコンと同一であり、図２に示す如く、前面に表示部１４ａと各種操作スイッチ１４ｂとを備える。また、操作ボックス１４の周壁部には、後端のフランジ部１４ｃより手前側に位置させて、前面側の部分よりも外側に広がる段差部１４ｄが形成されている。尚、操作ボックス１４は、前側のボックス本体と裏蓋とをフランジ部１４ｃでねじ１４ｅ止めすることにより構成される。また、操作ボックス１４には、これをリモコンとして壁に取付けるための取付け孔１４ｆが形成されている。
【００１４】
図３乃至図５を参照して、前面パネル１２には、窓穴１３の周縁の１組の対辺、例えば左辺と右辺に位置させて、背面側に折り返された一対の耳片１５が形成され、また、上辺と下辺に位置させて、背面側に起立するように屈曲された曲げ縁１６が形成されている。そして、窓穴１３の周縁の左辺と右辺に沿う一対の側枠部１７ａと、両側枠部１７ａの一端、例えば上端間の端枠部１７ｂとを有する略Ｕ字状に形成されたブラケット１７を設け、ブラケット１７の各側枠部１７ａを、各耳片１５と前面パネル１２の背面との間に形成される隙間に、各側枠部１７ａの下端側から押し込むことにより、ブラケット１７を前面パネル１２の背面に取付け、このブラケット１７を利用して操作ボックス１４を前面パネル１２に取付けている。
【００１５】
操作ボックス１４の取付けに際しては、前面パネル１２の背面に上記の如くブラケット１７を取付けた後、前面パネル１２の背面に、窓穴１３を囲うようにしてパッキン１８を接着剤や接着テープ等で装着する。次に、操作ボックス１４をその段差部１４ｄにおいてパッキン１８に着座させて、操作ボックス１４の前面側の部分を窓穴１３に嵌合させる。ここで、ブラケット１７の両側枠部１７ａの外側縁には、背面側に起立する起立片１７ｃと、起立片１７ｃの後縁の外曲げフランジ１７ｄとが形成されており、両側枠部１７ａの起立片１７ｃ間に操作ボックス１４を挿入自在としている。また、操作ボックス１４の背面に当接する押え板１９を設け、押え板１９に、外曲げフランジ１７ｄに形成したねじ孔１７ｅに対応する取付け孔１９ａを形成している。そして、ねじ１９ｂを取付け孔１９ａを通してねじ孔１７ｅにねじ込むことにより、押え板１９をブラケット１７の外曲げフランジ１７ｄに後方から締結する。これによれば、操作ボックス１４の段差部１４ｄをパッキン１８に押し付けてこれに確実に密着させることができ、窓穴１３のシール性が確保されると共に、操作ボックス１４がガタツクことなくしっかりと固定される。
【００１６】
また、押え板１９の締結で操作ボックス１４が前方に押されると、操作ボックス１４の段差部１４ｄが窓穴１３の上下の辺の曲げ縁１６に当接する。これにより操作ボックス１４が、パッキン１８の圧縮の影響を受けることなく前後方向に位置決めされる。そのため、操作ボックス１４の前面と前面パネル１２の前面との位置関係を、例えば、操作ボックス１４の前面が前面パネル１２の前面と面一になるように管理することができ、両者の位置関係がばらついて体裁を損なうことを防止できる。
【００１７】
また、押え板１９の上縁と下縁には、前方に屈曲して操作ボックス１４を上下から覆うカバー部１９ｃが曲成されており、このカバー部１９ｃとブラケット１７の起立片１７ｃとで操作ボックス１４を囲い、前面パネル１２の着脱時に操作ボックス１４に物が当接することを防止している。尚、起立片１７ｃ及びカバー部１９ｃと操作ボックス１４との間には隙間が確保されており、ブラケット１７の取付け位置が若干ずれても、操作ボックス１４の前面側の部分を窓穴１３に嵌合させた状態で操作ボックス１４を取付けられるようにしている。
【００１８】
ところで、ブラケット１７のガタツキを防止するには、耳片１５と前面パネル１２の背面との間の自由状態での隙間量を狭くし、ブラケット１７の側枠部１７ａを耳片１５と前面パネル１２の背面との間の隙間に押し込む際に耳片１５が撓み、耳片１５の弾性復元力で前面パネル１２の背面との間に側枠部１７ａが挟圧されるようにすることが望まれる。この場合、側枠部１７ａが耳片１５に面接触すると、摩擦抵抗が大きくなって、側枠部１７ａの押し込み作業に強い力を必要とし、作業者に負担がかかる。そこで、本実施形態では、ブラケット１７の各側枠部１７ａに、背面側に突出する突起１７ｆを複数、例えば、上下２個形成し、各側枠部１７ａがこれら突起１７ｆにおいて各耳片１５に点接触されるようにしている。これによれば、摩擦抵抗が小さくなって、側枠部１７ａを軽い力で耳片１５と前面パネル１２の背面との間の隙間に押し込むことができ、作業性が向上する。
【００１９】
以上、窓穴１３の周縁の左右の辺に耳片１５を形成した実施形態について説明したが、上下の辺に耳片を形成することも可能である。この場合には、ブラケット１７を上下一対の側枠部と両側枠部の左右一端間の端枠部とを有する形状に形成し、各側枠部を左右他端側から各耳片と前面パネルの背面との間の隙間に押し込む。また、上記実施形態では、操作ボックス１４の背面に当接する押え板１９をブラケット１７に締結して、操作ボックス１４を固定するようにしたが、操作ボックス１４がブラケット１７に対する取付け孔を有するものであるなら、操作ボックス１４をブラケットに直接締結することも可能である。
【図面の簡単な説明】
【００２０】
【図１】本発明の取付け構造で取付けられた操作ボックスを具備する給湯器を模式的に示した図。
【図２】操作ボックスの斜視図。
【図３】操作ボックスの取付け部分の背面側から見た分解状態の斜視図。
【図４】図３のＩＶ−ＩＶ線で切断した組立て状態の切断面図。
【図５】図３のＶ−Ｖ線で切断した組立て状態の切断面図。
【符号の説明】
【００２１】
１２…前面パネル、１３…窓穴、１４…操作ボックス、１４ｄ…段差部、１５…耳片、１６…曲げ縁、１７…ブラケット、１７ａ…側枠部、１７ｂ…端枠部、１７ｃ…起立片、１７ｄ…外曲げフランジ、１７ｆ…突起、１８…パッキン、１９…押え板。                                                                            
【図１】
2005172345.tif 000003
【図２】
2005172345.tif 000004
【図３】
2005172345.tif 000005
【図４】
2005172345.tif 000006
【図５】
2005172345.tif 000007
【手続補正書】
【提出日】平成16年8月5日(2004.8.5)
【手続補正１】
【補正対象書類名】特許請求の範囲
【補正対象項目名】請求項３
【補正方法】変更
【補正の内容】
【請求項３】
請求項１または２記載の給湯器における操作ボックスの取付け構造であって、操作ボックスの周壁部に、前面側の部分に比し外側に広がる段差部が形成され、前面パネルの背面に窓穴を囲うようにして装着するパッキンに段差部が当接するように操作ボックスを取付けるものにおいて、
ブラケットの両側枠部の外側縁に、背面側に起立する起立片と、起立片の後縁の外曲げフランジとを形成して、両側枠部の起立片間に操作ボックスを挿入自在とすると共に、操作ボックスの背面に当接する押え板を設けて、外曲げフランジに押え板を後方から締結することにより、操作ボックスの段差部をパッキンに押し付けることを特徴とする給湯器における操作ボックスの取付け構造。
【手続補正２】
【補正対象書類名】明細書
【補正対象項目名】００１２
【補正方法】変更
【補正の内容】
【００１２】
図１に示されているように、実施形態の給湯器は、ハウジング１内に配置した略密閉構造の燃焼室２を備え、燃焼室２内にバーナ３とバーナ３で加熱される給湯用熱交換器４とを収納している。また、ハウジング１内の上部に給気室５が配置されている。そして、給気室５に連なる外管６ａと燃焼室２に連なる内管６ｂとの２重管構造の給排気管６を設け、燃焼室２の下部に連通する燃焼ファン７により、外気を外管６ａと給気室５とハウジング１の内部空間とを介して燃焼室２に燃焼用空気として供給すると共に、バーナ３の燃焼排気を燃焼室２から内管６ｂを介して外部に排出するようにしている。また、給気室５には、給湯用熱交換器４の上流側の給水路８と下流側の出湯路９とを結ぶバイパス通路１０に介設した冷却用熱交換器１１が配置されており、給排気管６内での燃焼排気との熱交換で加熱された外気を冷却用熱交換器１１により冷却できるようにしている。